(57)【要約】      （修正有）【課題】メガネを掛けた場合、フロント部に衝撃が作用しても安定して支えることが出来る鼻当てパットを提供する。【解決手段】両鼻当てパット７，７間にソフトな軟質樹脂から成る繋ぎ８を介在し、繋ぎ８は滑らかな山形に湾曲し、その両端に設けた連結部１２，１２を介して鼻当てパット７，７に連結している。【選択図】図５
2020201444.tif 000002
【特許請求の範囲】
【請求項１】
メガネを掛けた場合、フロント部を支える為の鼻当てパットにおいて、両鼻当てパット間にソフトな軟質樹脂製の繋ぎを介在したことを特徴とする鼻当てパット。
【請求項２】
上記繋ぎの両端には連結部を設け、該連結部に形成した穴に鼻当てパット背面に突出した突片を嵌めて取付けた請求項１記載の鼻当てパット。
【請求項３】
メガネを掛けた場合、フロント部を支える為鼻の両脇に当接する鼻当てパットの間に介在する繋ぎにおいて、該繋ぎはソフトな軟質樹脂を材質として山形に湾曲し、その両端には鼻当てパットに連結される連結部を設け、該繋ぎは鼻の甲に接することが出来るようにしたことを特徴とする鼻当てパットの繋ぎ。
【請求項４】
繋ぎは山形に湾曲した上繋ぎ片と下繋ぎ片を有すと共に間には隙間を形成し、また連結部には鼻当てパットの背面に突出する突片に連結部に形成した穴を嵌めた請求項３記載の鼻当てパットの繋ぎ。
【請求項５】
繋ぎは山形に湾曲した上繋ぎ片と下繋ぎ片を有すと共に間には隙間を形成し、また連結部には鼻当てパットの背面に突出する突片に連結部に形成したカギを係止した請求項３記載の鼻当てパットの繋ぎ。
【発明の詳細な説明】
【技術分野】
【０００１】
本発明はメガネフレームのフロント部中央に取付けられる鼻当てパット、及び両鼻当てパットの繋ぎに関するものである。
【背景技術】
【０００２】
メガネフレームの形状は多種多様化しているが、その基本的な形態はフロント部と２本のツル（テンプル）で構成され、フロント部にはレンズが嵌るリムを備え、中央部には鼻当てパットが取付けられている。ところで、メガネを掛ける場合には、上記鼻当てパットを鼻の両脇に当ててフロント部を支え、上記ツルは耳に係止することが出来る。
【０００３】
上記鼻当てパットは主に樹脂製であって、その形状は一般的に概略長円形を成し、鼻の両脇を挟み込むように当接してフロント部が支持される。鼻の形状は色々あって、その為に脚を曲げて鼻当てパットが鼻の両脇に正しく接するように調整される。
しかし、両鼻当てパットを鼻の両脇に接するだけではフィット感に欠け、フロント部を安定して支えることは出来ない場合も多い。特に、運動して身体を動かすならば、フロント部は位置ズレしてしまう。
【０００４】
図６は従来の一般的な金属製のメガネフレームを表している。同図の（イ）はフロント部、（ロ）はツルを示し、該フロント部（イ）の中央部には２個の鼻当てパット（ハ）、（ハ）が対を成して取付けられている。
このような鼻当てパット（ハ）、（ハ）では、フロント部（イ）を安定して支持することは出来ない。身体を動かす際には位置ズレする虞がある。特に、フロント部（イ）に作用する衝撃に対処することは出来ない。
【０００５】
従来においても、鼻当てパットに関する技術は色々考えられて来ている。例えば、特開２０１２−０５３３１９号に係る「鼻当てパットの取付け構造」は、鼻当てパット軟質樹脂で構成し、その形状は概略半円形又は概略楕円形で、両面は滑らかな曲面を形成している。そして、内部には切口を開口した大空間とその奥には小空間を連続して設け、脚はフロント部背面に圧入して固定される止着部と取付け部を有し、取付け部は概略Ｓ字状に湾曲した金属線も先端に篏合部を設け、篏合部を鼻当てパットの小空間に圧入している。
【０００６】
このように、メガネのフロント部に取付けられる鼻当てパットは２個が対を成した形態とし、これら鼻当てパットは鼻の両脇に当接してフロント部が支えられる。しかし、鼻当てパットの形態として概略山形に湾曲した形状とし、鼻両脇に当接する主パット部と鼻の甲に当接する補助パット部とが連続した鼻当てパットも知られている。
このような概略山形の鼻当てパットは、フロント部の位置ズレはしないが、メガネを着用した場合に鼻の形状に完全フィットせず、その為に着用感が悪くなる。
【特許文献１】特開２０１２−０５３３１９号に係る「鼻当てパットの取付け構造」
【発明の開示】
【発明が解決しようとする課題】
【０００７】
このように従来の鼻当てパットには上記のごとき問題がある。本発明が解決しようとする課題はこれら問題点であり、フロント部が位置ズレすることなく安定して支持され、またフロント部に作用する衝撃にも対処することが出来るように、フィット感に優れた鼻当てパットを提供する。
【課題を解決するための手段】
【０００８】
本発明に係るメガネフレームの形態は自由であるが、フロント部の中央部には２個の鼻当てパットが対をなして取付けられている。フロント部としてはレンズが嵌るリムを有している場合、上側にハーフリムと下側に水糸などの高張力糸を備えてレンズを保持するナイロールフレーム、又はリムを有すことなく両レンズを連結部材で直接ネジ止めし、外側にはヨロイを取付けた縁なしメガネとして構成する場合がある。
【０００９】
そして、本発明はフロント部に取付けた両鼻当てパット間に繋ぎを介在した構造としている。繋ぎは概略山形に湾曲した形状とし、材質は軟質樹脂とし、その為に繋ぎは湾曲自在であって、しかも多少の伸びを備えている。
該繋ぎの両先端に連結部が設けられ、該連結部を介して左右の鼻当てパットと連結することが出来る。
【００１０】
ここで、連結部の具体的な形態は限定しないが、一般には連結部に穴を貫通し、該穴に鼻当てパットの背面に突出した突片が嵌り、突片はフロント部から延びている脚先端の箱足の開口に嵌ってネジ止めされる。すなわち、両鼻当てパットの突片に嵌ることで連結して取付けられるが、該繋ぎが不要とする場合には鼻当てパットを箱足から外すことで、取外すことが出来る。
一方、連結部に穴を設ける代わりにカギを形成し、該カギを鼻当てパット背面に突出した突片に係止することで連結することも可能である。
【発明の効果】
【００１１】
本発明の繋ぎは両鼻当てパットに連結して取付けられる。したがって、左右の鼻当てパット間に繋ぎが介在することでフロント部を支える為に鼻に当たる領域は大きく拡大し、フロント部は位置ズレすることなく安定して支えられる。従来の鼻当てパットに比較して、鼻とのフィット感は大きく向上し、特に身体を動かしてもフロント部は位置ズレしにくい。また、フロント部に外力が働いた際の衝撃を緩和する効果に優れている。
【００１２】
繋ぎは鼻当てパットと同じ材質ではなく、ソフトな軟質樹脂で構成されているために、フロント部に作用する衝撃を緩和すると共に、鼻とのフィット感は向上し、メガネの掛け心地が良くなる。
一方、該繋ぎは両鼻当てパット間に繋がれるが、不要な場合には取外すことが出来、その為に汚れた際には新たな繋ぎと交換可能である。
【図面の簡単な説明】
【００１３】
【図１】本発明の繋ぎを取付けたメガネフレームを表す平面図。
【図２】（ａ）は本発明の繋ぎを取付けたメガネフレームを表す正面図、（ｂ）は本発明の繋ぎを取付けたメガネフレームを表す背面図。
【図３】両鼻当てパット間に介在する繋ぎを示す具体例。
【図４】繋ぎの取付け方法を示す具体例。
【図５】両鼻当てパット間に介在する繋ぎ。
【図６】従来の一般的なメガネフレーム。
【発明を実施するための形態】
【００１４】
図１、図２は本発明に係る鼻当てパット構造を備えたメガネフレームを示す実施例であり、図１は平面図、図２（ａ）は正面図、図２（ｂ）は背面図を夫々表している。同図の１はフロント部、２はツル（テンプル）で、フロント部１の両側に取付けたヨロイ３，３には上記ツル２，２が軸ネジ４，４を介して折畳み出来るように取付けられている。フロント部１は両リム５，５が連結部材６を中心として左右対称に連結し、外側には上記ヨロイ３，３がロウ付けされている。
【００１５】
そして、フロント部１の中央部には鼻当てパット７，７が対を成して取付けられているが、鼻当てパット７，７はフロント部１のリムから延びている脚の先端に設けている箱足を介してネジ止めされている。
鼻当てパット７，７はその背面に突片が突出し、該突片は箱足の開口に嵌って多少のアガキを有した状態でネジ止めされている。したがって、鼻当てパット７，７はメガネを掛けた際に鼻の両脇に当たってフロント部１が支えられる。
【００１６】
そして、両鼻当てパット７，７には繋ぎ８を取付けている。該繋ぎ８は滑らかな山形に湾曲した形状とし、その材質はソフトな軟質樹脂が用いられ、その両端に設けた連結部が鼻当てパット７，７と連結して取付けられている。山形に湾曲した繋ぎ８は鼻当てパット７，７より上方に位置し、メガネを掛けた場合に、両鼻当てパット７，７は鼻の両脇に当接し、繋ぎ８は鼻の甲に接することが出来る。
【００１７】
図３は上記繋ぎ８を表す具体例である。同図に示すように、繋ぎ８は上繋ぎ片９と下繋ぎ片１０を有し、間には隙間１１を形成している。そして、両端には連結部１２，１２を有し、連結部１２には四角形の穴１３が貫通している。上記上繋ぎ９及び下繋ぎ１０の断面は角に丸みを有す四角形、又は概略円形断面とし、角が肌に当たらない形状としている。
図３に示す繋ぎ８はあくまでも１具体例に過ぎないが、間に隙間１１を形成することで、該繋ぎ８の柔軟性は高く、鼻の甲に接した場合に馴染んで変形することが出来る。
【００１８】
図４は、この繋ぎ８の取付け方法を示している具体例である。鼻当てパット７の背面には突片１４が突出し、この突片１４は連結部１２に貫通した穴１３に嵌る。そして連結部１２の穴１３に嵌った突片１４は箱足１５に挿入され、箱足１５に設けたネジ穴１６にネジを螺合することで、該ネジは突片１４に設けたネジ挿入穴１７を貫通する。
したがって、鼻当てパット７は箱足１５から外れることはなく、また連結部１２が突片１２から外れない。
【００１９】
箱足１５の開口に突片１４を嵌めて取付ける構造は従来と共通し、鼻当てパット７はその向きを僅かに変えて鼻の両脇に当接することが出来る。勿論、本発明は鼻当てパット７の取付け構造に関しては特に限定しない。
図５は両鼻当てパット７，７間に繋ぎ８を取付けた状態を表している詳細図であり、該繋ぎ８は山形に湾曲して配置され、鼻当てパット７，７の背面側に位置して取付けられる。
【００２０】
該繋ぎ８は上繋ぎ片９と下繋ぎ片１０を有し、間には隙間１１が形成されていることで、鼻の甲に当たった場合、上繋ぎ片９と下繋ぎ片１０は夫々が独立して変形し、鼻にフィットすることが出来る。勿論、両連結部１２，１２に設けた穴１３，１３には、鼻当てパット背面に突出した突片１４，１４に嵌って固定されており、繋ぎ８の両端が位置ズレすることはない。
【００２１】
前記、図４、図５に示した繋ぎ８の連結部１２，１２には、穴１３，１３が貫通している。そして、この穴１３，１３が鼻当てパット７，７の突片１４，１４に篏合して連結することが出来る。しかし、本発明は穴１３，１３に限定はしない。
例えば、連結部１２，１２にカギを形成し、該カギを突片１４，１４に係止して繋ぎ８を取付けることも可能である。
【００２２】
実施例で示した鼻当てパット７の取付け構造は、背面に突片１４を突出し、該突片１４はフロント部から延びる脚先端の箱足１５に嵌ってネジ止めされているが、箱足１５を有しない鼻当てパット７の取付け構造もある。
上記繋ぎ８は鼻当てパット７の取付け構造が如何ようであっても、連結部１２を介して連結される。
【符号の説明】
【００２３】
１   フロント部
２   ツル
３   ヨロイ
４   軸ネジ
５   リム
６   連結部材
７   鼻当てパット
８   繋ぎ
９   上繋ぎ片
10   下繋ぎ片
11   隙間
12   連結部
13   穴
14   突片
15   箱足
16   ネジ穴
17   ネジ挿通穴
【図１】
2020201444.tif 000003
【図２】
2020201444.tif 000004
【図３】
2020201444.tif 000005
【図４】
2020201444.tif 000006
【図５】
2020201444.tif 000007
【図６】
2020201444.tif 000008